(57)【要約】【課題】  本発明は、腰部、腹部、背部及び肩部を主とした全身運動に加えて特に脚部の運動や腰部、腹部、背部及び肩部等の回動運動をより効果的に行うことができ、小型軽量で、どこへでも携行移動でき、家庭内は勿論仕事場でも椅子等のすわり台上にのせれば手軽に使用できると共に、取扱容易で子供から老人まで安全気楽に使用できる腰かけ運動装置を提供する。【解決手段】  上薄板１０と下薄板２０と緩衝材３０と球状体４０とを備え、前記緩衝材３０の上面に前記上薄板１０を、前記緩衝材３０の下面に前記下薄板２０をそれぞれ設けると共に、前記緩衝材３０の中央部に孔又は溝３１を設けて前記球状体４０を嵌入してなり、椅子等のすわり台８０上に置いて腰かけて床面８１につけた足９１の動作により、上薄板１０を前後左右に揺動又は回動ができるようにしたもの。【選択図】    図１
2007097763.tif 000002
【特許請求の範囲】
【請求項１】
上薄板と下薄板と緩衝材と球状体とを備え、前記緩衝材の上面に前記上薄板を、前記緩衝材の下面に前記下薄板をそれぞれ設けると共に、前記緩衝材の中央部に孔又は溝を設けて前記球状体を嵌入してなり、椅子等のすわり台上に置いて腰かけて床面につけた足の動作により、上薄板を前後左右に揺動又は回動ができるようにしたことを特徴とする腰かけ運動装置。
【請求項２】
上薄板と下薄板と玉継手とを備え、前記玉継手が、球状ヘッドを設けた継手と、前記球状ヘッドに対し自由回転を保持する継手とからなり、前記上薄板の下面のほぼ中央部に前記玉継手の一方側を固着し、前記下薄板の上面のほぼ中央部に前記玉継手の他方側を固着してなり、椅子等のすわり台上に置いて腰かけて床面につけた足の動作により、上薄板を前後左右の揺動又は回動ができるようにしたことを特徴とする腰かけ運動装置。
【発明の詳細な説明】
【技術分野】
【０００１】
本発明は、椅子等のすわり台上に置いて腰かけて床面につけた足の動作により、すわり座面を前後左右に傾斜又は回動させて、全身運動ができるようにした腰かけ運動装置に関する。
【背景技術】
【０００２】
乗馬した状態で機械的振動を与えることにより腹部、腰部、背部を主とするバランス運動を行う機械装置が、特開２００４−３４４６８３、特開２００４−３４４６８４などで知られているが、これらの乗馬タイプの機械運動装置は、特開２００４−３４４６８３号公報の図３に示すように、乗馬のようにまたがり、足をあぶみ相当のもの（６）にのせて運動するので、腰部、腹部、背部及び肩部を主とした揺動運動には有効とみられるが、太ももから下の筋肉を使う運動や腰部、腹部、背部及び肩部の回動運動が不足しがちとみられる。太ももから下の筋肉を使う運動は、特に、運動不足による糖尿病の予防のための血糖値コントロールとして有効とされている。
また、足を使って前述した全身の回動運動は前記揺動運動を更に向上させて、内臓脂肪や腰痛の治療や予防により有効であるとされている。
また、乗馬タイプの機械運動装置は、高価である、室内で場所をとる、携行移動が容易でないなどの欠点があった。
そこで、本発明者は、上述の問題点を解決すると共に、安価で、どこへでも携行移動でき、家庭内は勿論、仕事場でも手軽に使用できる腰かけ運動装置を発明することに成功した。
【特許文献１】特開２００４−３４４６８３号公報
【特許文献２】特開２００４−３４４６８４号公報
【非特許文献１】日本経済新聞２００５年９月１１日１５面
【発明の開示】
【発明が解決しようとする課題】
【０００３】
本発明は、腰部、腹部、背部及び肩部を主とした全身運動に加えて特に脚部の運動や腰部、腹部、背部及び肩部等の回動運動を効果的に行うことができる腰かけ運動装置を提供するものである。
また、本発明は、小型軽量で、どこへでも携行移動でき、家庭内は勿論仕事場でも椅子等のすわり台上にのせれば手軽に使用できる腰かけ運動装置を提供するものである。
また、本発明は、取扱容易で子供から老人まで安全気楽に使用できる腰かけ運動装置を提供するものである。
さらに、本発明は、安価で、簡単に製作できる腰かけ運動装置を提供するものである。
【課題を解決するための手段】
【０００４】
本発明腰かけ運動装置は、上記課題を達成するため、図示するように、上薄板１０と下薄板２０と緩衝材３０と球状体４０とを備え、前記緩衝材３０の上面に前記上薄板１０を、前記緩衝材３０の下面に前記下薄板２０をそれぞれ設けると共に、前記緩衝材３０の中央部に孔又は溝３１を設けて前記球状体４０を嵌入してなり、椅子等のすわり台８０上に置いて腰かけて床面８１につけた足９１の動作により、上薄板１０を前後左右に揺動又は回動ができるようにしたものである。
また、本発明腰かけ運動装置は、上記課題を達成するため、図示するように、上薄板１０Ｂ又は１０Ｃと下薄板２０Ｂ又は２０Ｃと玉継手４０Ｂ又は４０Ｃとを備え、前記玉継手４０Ｂ又は４０Ｃが、球状ヘッド４１０Ｂ又は４１０Ｃを設けた継手４１Ｂ又は４１Ｃと、前記球状ヘッド４１０Ｂ又は４１０Ｃに対し自由回転を保持する継手４２Ｂ又は４２Ｃとからなり、前記上薄板１０Ｂ又は１０Ｃの下面のほぼ中央部に前記玉継手４０Ｂ又は４０Ｃの一方側を固着し、前記下薄板２０Ｂ又は２０Ｃの上面のほぼ中央部に前記玉継手４０Ｂ又は４０Ｃの他方側を固着してなり、椅子等のすわり台８０上に置いて腰かけて床面８１につけた足９１の動作により、上薄板１０を前後左右に揺動又は回動ができるようにしたものである。
本発明において、上下薄板は、合板、金属板、合成樹脂板等が使用される。緩衝材は、合成樹脂、ゴム等の公知の発泡体、綿状シート、軟質弾性材等が使用され、上薄板が傾斜したとき一方側は圧縮され、他方側は膨張し、上薄板の傾斜が解除されたとき復元又は圧縮される。球状体は、硬質の合成樹脂球、金属球等が使用される。
玉継手は、球関節をもった継手で、上薄板を下薄板上で傾斜又は回動させるものである。
【発明の効果】
【０００５】
腰かけながら、床面につけた足の動作により、全身の揺動運動や回動運動ができ、その際、運動に体重負担が加わらない利点があり、特に脚部、腹部、腰部、背部及び肩部の筋肉運動が膝、踝に負担をかけずにでき、また、自律的に運動できる強味があるので脳の活性化に役立つものと思われる。
乗馬タイプの機械運動装置のように、特に脚部の筋肉運動や全身の回動運動が不足することなく、また、乗馬時の座席が他律的に揺動するための不安感がない。
また、小型軽量で移動が便利なため家庭内は勿論、仕事場でも何らの支障なく使用できる利点がある。
さらに、安価で製作簡単なため広く普及させることができる利点がある。
【発明を実施するための最良の形態】
【０００６】
請求項１の発明は、実施例１に記載され、請求項２の発明は、実施例２及び実施例３に記載されている。
【実施例１】
【０００７】
本発明の実施例１が図１乃至図３に示されている。本発明実施例の腰かけ運動装置は、円板状の上薄板１０、これと同径の円板状の下薄板２０、厚手円板状の緩衝材３０、硬球４０、カバー５０及び座ぶとん６０を備えている。
上下薄板１０及び２０は、合板、合成樹脂板又は金属板製で形成されている。
緩衝材３０は、合成樹脂、ゴムの発泡体で形成されて中央部に孔３１が形成されている。
硬球４０は、金属球又は合成樹脂球又は硬質ゴム球で形成され、緩衝材３０の孔３１に嵌入されている。
カバー５０は、布製で上薄板１０と緩衝材３０と下薄板２０とを包んで縫着又は接着したもので、上薄板１０が傾斜したときも包まれるように形成されている。
座ぶとん６０は、円形で、底面がゴム紐で締められる公知のもので、本発明品の上薄板１０上面にのせると共に、上薄板１０と下薄板２０との間の緩衝材３０の外周にゴム紐締めができるようにしたものである。なお、座ぶとん６０は一体化された上薄板１０と緩衝材３０と下薄板２０を包袋できるようにしてもよい。
本発明実施例は上記の構成であるので、椅子等のすわり台８０に本発明品を置いて人体９０が腰かければ、図１に示すように、上薄板１０は１点鎖線のところまで沈下して球状体４０上にのり、上薄板１０が傾斜すれば、２点鎖線で示すところまで傾斜されることになる。この場合、上薄板１０の傾斜又は回動は、図３に示すように、床８１につけた足９１の自律運動に依存するので腰部、腹部、背部及び肩部の全身運動に加え脚部の筋肉も運動できることになる。
【実施例２】
【０００８】
本発明の実施例２が図４に示されている。本発明実施例の腰かけ運動装置は、円板状の上薄板１０Ｂ、これと同径の円板状の下薄板２０Ｂ、玉継手４０Ｂ、座ぶとん６０Ｂ及びストッパー７０Ｂを備えている。
上下薄板１０Ｂ及び２０Ｂ、及び座ぶとん６０Ｂは、実施例１と同一であるので詳細説明は省略する。
玉継手４０Ｂは、硬球４１０Ｂを上薄板１０Ｂ下面に接合体４１１Ｂを介して固着できるようにした硬球ヘッド継手４１Ｂと、継手４１Ｂの硬球ヘッド４１０Ｂに小球４２１Ｂ、４２１Ｂを介して上薄板１０Ｂを自由回転できるように下薄板２０Ｂに固着できるようにした継手４２Ｂとからなる。
ストッパー７０Ｂは、金属製、合成樹脂製、木製等から成形されて下薄板２０Ｂ上に立設され、傾斜又は回動する上薄板１０Ｂの下面に当接することができると共に、指づめ等の危険防止をはかるものである。
本発明実施例は上記の構成であるので、椅子等のすわり台８０に本発明品を置いて人体９０が腰かければ、実施例１の本発明品に比べ、上薄板１０Ｂの傾斜は同じ程度であるが、回動は自在機構が加わるので実施例１の本発明品より運動量は大きくなる。
【実施例３】
【０００９】
本発明の実施例３が図５に示されている。本発明実施例の腰かけ運動装置は、円板状の上薄板１０Ｃ、これと同径の円板状の下薄板２０Ｃ、玉継手４０Ｃ、座ぶとん６０Ｃ及びストッパー７０Ｃを備えている。
上下薄板１０Ｃ及び２０Ｃ、及び座ぶとん６０Ｃは、実施例１と同一であるので詳細説明は省略する。
玉継手４０Ｃは、後記継手４１Ｃの硬球ヘッド４１０Ｃに小球４２１Ｃ、４２１Ｃを介して上薄板１０Ｃを自由回転できるように上薄板１０Ｃ下面に固着した継手４２Ｃと、硬球４１０Ｃを下薄板２０Ｃ上に固着体４１１Ｃを介して固着できるようにした硬球ヘッド継手４１Ｃとからなる。
ストッパー７０Ｃは、実施例２のストッパー７０Ｃと同一のものであるので、詳細説明は省略する。
本発明実施例は、実施例２の本発明品と同様な作用効果が得られるので詳細説明は省略する。
【産業上の利用可能性】
【００１０】
本発明品は、製作容易で安価に量産できる。
【図面の簡単な説明】
【００１１】
【図１】本発明の実施例を示す説明図である。
【図２】図１に座ぶとんを被せた正面図である。
【図３】図２の使用状態図である。
【図４】本発明の別の実施例を示す説明図である。
【図５】本発明のさらに別の実施例を示す説明図である。
【符号の説明】
【００１２】
１０、１０Ｂ、１０Ｃ    上薄板
２０、２０Ｂ、２０Ｃ    下薄板
３０                    緩衝材
４０                    球状体
４０Ｂ、４０Ｃ          玉継手
５０                    カバー
６０、６０Ｂ、６０Ｃ    座ぶとん
７０Ｂ、７０Ｃ          ストッパー
８０                    椅子
８１                    床面
９０                    人体
９１                    足
【図１】
2007097763.tif 000003
【図２】
2007097763.tif 000004
【図３】
2007097763.tif 000005
【図４】
2007097763.tif 000006
【図５】
2007097763.tif 000007